(57)【要約】【課題】本発明は、皮膚状態検出具とそれを用いた皮膚状態検出装置に関するもので、検出時間を短縮化することを目的とするものである。【解決手段】そして、この目的を達成するために本発明は、筒状の本体ケース１と、この本体ケース１内を気体室２と溶液室３に仕切った破断可能なシート４と、前記本体ケース１の溶液室３内に注入されたキノン含有溶液７と、前記シート４に対向する気体室２壁面に設けた開孔を覆った皮脂付着シート９とを備えた構成とした。【選択図】図１
2011117785.tif 000002
【特許請求の範囲】
【請求項１】
筒状の本体ケースと、この本体ケース内を気体室と溶液室に仕切った破断可能な第一のシートと、前記本体ケースの溶液室内に注入されたキノン含有溶液と、前記第一のシートに対向する気体室壁面に設けた開孔を覆った皮脂付着シートとを備えた皮膚状態検出具。
【請求項２】
前記溶液室の気体室とは反対側の本体ケース内に吸着室を設け、この吸着室と前記溶液室間は、破断可能な第二のシートで仕切った請求項１に記載の皮膚状態検出具。
【請求項３】
前記本体ケースは円筒状とし、この本体ケースの上方に気体室、この気体室の下方に溶液室、この溶液室の下方に吸着室を設けるとともに、前記本体ケースの上端面に開孔を設けた請求項２に記載の皮膚状態検出具。
【請求項４】
請求項１〜３のいずれか一つに記載の皮膚状態検出具と、この皮膚状態検出具に装着される測定装置とを備え、前記測定装置は、前記皮膚状態検出具の開孔から本体ケース内に、その下端側が挿入される挿入体と、この挿入体の下方に設けた検出電極と、この挿入体の上方に設けた接続電極と、この接続電極に接続した測定体とを有する皮膚状態検出装置。
【請求項５】
前記挿入体には、その長手方向に所定間隔で第一の挿入線と、第二の挿入線を設けた請求項４に記載の皮膚状態検出装置。
【請求項６】
前記測定体と挿入体は着脱自在とした請求項４または５に記載の皮膚状態検出装置。
【請求項７】
皮膚状態検出具と、この皮膚状態検出具に装着される測定装置とを備え、前記皮膚状態検出具は、筒状の本体ケースと、この本体ケース内に設けた溶液室と、この溶液室壁面に設けた開孔を覆った破断可能な第一のシートと、前記溶液室内に注入されたキノン含有溶液とを有し、前記測定装置は、前記皮膚状態検出具の第一のシートを破断させて本体ケース内に、その下端側が挿入される挿入体と、この挿入体の下方に設けた皮脂付着シートおよび検出電極と、この挿入体の上方に設けた接続電極と、この接続電極に接続した測定体とを有する皮膚状態検出装置。
【請求項８】
前記皮膚状態検出具は、その本体ケース内において、溶液室の第一のシートとは反対側に吸着室を設け、この吸着室と溶液室間は、破断可能な第二のシートで仕切った請求項７に記載の皮膚状態検出装置。
【請求項９】
前記皮膚状態検出具の本体ケースは円筒状とし、この本体ケースの上方に気体室、この気体室の下方に溶液室、この溶液室の下方に吸着室を設けるとともに、前記本体ケースの上端面に開孔を設けた請求項８に記載の皮膚状態検出装置。
【請求項１０】
前記測定体と挿入体は着脱自在とした請求項７〜９のいずれか一つに記載の皮膚状態検出装置。
【請求項１１】
前記挿入体には、その長手方向に所定間隔で第一の挿入線と、第二の挿入線を設けた請求項７〜１０のいずれか一つに記載の皮膚状態検出装置。
【請求項１２】
前記皮脂付着シートは前記挿入体の下端に装着した請求項７〜１１のいずれか一つに記載の皮膚状態検出装置。
【請求項１３】
前記挿入体の下端を先鋭化させた請求項７〜１２のいずれか一つに記載の皮膚状態検出装置。
【請求項１４】
前記挿入体の下端部に溝を形成し、この溝内に検出電極を設けるとともに、この検出電極と皮脂付着シートは非接触状態とした請求項７〜１３のいずれか一つに記載の皮膚状態検出装置。
【請求項１５】
前記キノン含有溶液に酵素を導入した請求項４〜１４のいずれか一つに記載の皮膚状態検出装置。                                            
【発明の詳細な説明】
【技術分野】
【０００１】
本発明は、皮膚状態検出具とそれを用いた皮膚状態検出装置に関するものである。
【背景技術】
【０００２】
例えば化粧品の販売においては、個々人の皮膚状態を検出することにより、個人ごとに、より適切な化粧品を勧めるようにしている。
そして、その場合の皮膚状態検出は、皮膚にテープを貼り付けることで皮脂分を採取し、それをガスクロマトグラフ分析することによって行っている（例えば下記特許文献１）。
【先行技術文献】
【特許文献】
【０００３】
【特許文献１】特開２００８−２２４２８６号公報
【発明の概要】
【発明が解決しようとする課題】
【０００４】
しかしながら、ガスクロマトグラフ分析を行う場合大型で高価な装置を要し、測定においても熟練した技術者が必要であった。さらに、測定結果の解析においても時間がかかるため、人体から皮脂を採取後、結果を導くまで数日以上を要した。上記従来例における課題は、皮膚状態の検出に手間とコストが必要であり測定場所が限られる、と言うことであった。
【０００５】
そこで、本発明は、ガスクロマトグラフ分析を用いることなく、皮膚状態検出を短時間で行うことが出来るようにする皮膚状態検出具とそれを用いた皮膚状態検出装置を提供することを目的とするものである。
【課題を解決するための手段】
【０００６】
前記従来の課題を解決するために、本発明の皮膚状態検出具は、筒状の本体ケースと、この本体ケース内を気体室と溶液室に仕切った破断可能な第一のシートと、前記本体ケースの溶液室内に注入されたキノン含有溶液と、前記第一のシートに対向する気体室壁面に設けた開孔を覆った皮脂付着シートとを備えた構成とし、これにより所期の目的を達成するものである。
【発明の効果】
【０００７】
以上のように本発明は、本発明の皮膚状態検出具は、筒状の本体ケースと、この本体ケース内を気体室と溶液室に仕切った破断可能な第一のシートと、前記本体ケースの溶液室内に注入されたキノン含有溶液と、前記第一のシートに対向する気体室壁面に設けた開孔を覆った皮脂付着シートとを備えた構成としたものであるので、皮膚状態検出を短時間で行うことが出来るようになる。
【０００８】
すなわち、本発明の皮膚状態検出具によれば、先ず皮脂付着シートを皮膚に当接させることによって皮脂の採取を行い、次にこの皮脂付着シートを、開孔から本体ケースの気体室内に押し込み、続けて第一のシートを破断させて溶液室に押し込めば、皮膚の状態に最も大きな影響を与える遊離脂肪酸量に応じて、キノン含有溶液内を流れる電流量が増減することを利用し、皮膚状態検出を、極めて短時間で行うことが出来るようになるのである。
【０００９】
このため、例えば、化粧品販売所においては、皮脂の採取後、直ちにその場で、皮膚状
態をお客に知らせることができ、これは化粧品販売所にも、お客にも好ましいものとなる。
【図面の簡単な説明】
【００１０】
【図１】（ａ）本発明の実施の形態１にかかる皮膚状態検出具の斜視図（ｂ）本発明の実施の形態１にかかる皮膚状態検出装置の斜視図
【図２】本発明の実施の形態１にかかる皮膚状態検出装置の斜視図
【図３】本発明の実施の形態１にかかる皮膚状態検出装置のブロック図
【図４】（ａ）本発明の実施の形態１にかかる皮膚状態検出装置の特性図（ｂ）本発明の実施の形態１にかかる皮膚状態検出装置より得られた遊離脂肪酸の検量線を示したグラフ
【図５】（ａ）本発明の実施の形態２にかかる皮膚状態検出装置の斜視図（ｂ）同要部拡大断面図、（ｃ）同要部拡大下面図（ｄ）同要部拡大下面図
【図６】本発明の実施の形態２にかかる皮膚状態検出具の斜視図
【図７】本発明の実施の形態３にかかる皮膚状態検出具の斜視図
【図８】本発明の実施の形態４にかかる皮膚状態検出装置の要部拡大断面図
【発明を実施するための形態】
【００１１】
以下、本発明の一実施形態を、添付図面を用いて説明する。
【００１２】
（実施の形態１）
図１（ａ）は、本発明の実施の形態１にかかる皮膚状態検出具の斜視図であり、概略的に分かりやすくするため、透明化して示してある。この図に示すように、本実施の形態の皮膚状態検出具５０は、合成樹脂よりなる円筒状の本体ケース１と、この本体ケース１内を上方の気体室２と中程の溶液室３に仕切った破断可能（例えばアルミ箔）なシート４と、前記本体ケース１内を溶液室３と下方の吸着室５に仕切った破断可能（例えばアルミ箔）なシート６と、前記溶液室３内に注入されたキノン含有溶液７と、前記シート４に対向する気体室２の壁面に設けた開孔（図２の８）を覆った皮脂付着シート９と、前記吸着室５内に設けた化学繊維製の吸着剤１０と、を備えている。なお、開孔８が存在するシート４に対向する気体室２の壁面とは、本体ケース１の上端面となっている。前記皮脂付着シート９は、いわゆる油取りシートを、円形に切り取ったものにより構成され、このように円形の皮脂付着シート９で、円形の開孔（図２の８）を覆っている。前記本体ケース１は、図１における上下方向の長さが５センチ程度となっており、例えば化粧品販売所の係員はこれを持って、その皮脂付着シート９を、お客の額に１０秒〜２０秒押し当てる。その状態で、この図１（ａ）の皮膚状態検出具５０に、図１（ｂ）の皮膚状態測定検出装置５１を図２のごとく装着し、その状態でお客の皮膚状態を検出する。つまり、これらの図１（ａ）の皮膚状態検出具５０と、図１（ｂ）の皮膚状態測定検出装置５１により、皮膚状態検出装置が構成されているのである。
【００１３】
図１（ｂ）の皮膚状態測定検出装置５１は、図１（ａ）の皮膚状態検出具５０の開孔８から本体ケース１内に、図２のごとく、その下端側が挿入される円柱状の挿入体１１と、この挿入体１１の下方に設けた検出電極（図３の対極１２、作用極１３、参照極１４）と、この挿入体１１の上方に設けた接続電極（図３の１５、１６、１７）と、この接続電極（図３の１５、１６、１７）に接続した測定体１８とを有する構成となっている。挿入体１１と測定体１８は着脱自在になっており、この場合、挿入体１１は、誤検出を避けるために、使い捨てとなっており、新規の挿入体１１が接続電極（図３の１５、１６、１７）により、測定体１８に接続される。また、前記挿入体１１の上方部分には、その長手方向に所定間隔で挿入線１９、２０が設けられている。さらに、測定体１８は、図３のごとく、電気化学測定部２１と、制御解析部２２と、メモリー２３と、表示部２４と、各部に電力を供給する電源部２５とにより構成されている。
【００１４】
以上の構成において、化粧品販売所における皮膚状態検出手順について説明する。
【００１５】
先ず、化粧品販売所の係員は、図１（ａ）の皮膚状態検出具５０を持ち、その皮脂付着シート９を、お客の額に１０秒〜２０秒押し当て、それによりお客の皮脂を採取する。次に、図１（ｂ）に示す皮膚状態測定検出装置５１の挿入体１１の下端を、皮脂付着シート９の表面に当接させ、その挿入線１９が図２のごとく開孔８に到達するまで、本体ケース１内に押し込む。すると、皮脂付着シート９は、挿入体１１の下端により、開孔８から本体ケース１の気体室２内に押し込まれ、続けて挿入体１１の下端によりシート４が破断され、これにより皮脂付着シート９が溶液室３に押し込まれる。この状態で、本体ケース１を複数回振り、キノン含有溶液７により、皮脂付着シート９によって採取された皮脂中から、遊離脂肪酸量を分離抽出する。そして、その３０秒後に、図示していないスイッチをＯＮすることで、図３の各部に電源部２５から電圧を供給する。遊離脂肪酸含有の溶液には対極１２、作用極１３、参照電極１４が浸漬されている。マイクロコンピューター等から構成される電気化学測定部２１は、作用極１３の電位を参照電極１４の電極電位から所定の範囲で掃引し、これと同時に作用極１３と対極１２間を流れる電流値を測定する。このような測定方法は通常、ボルタンメトリーと呼称される。このボルタンメトリーによって酸（皮脂の場合遊離脂肪酸量）に対するキノン誘導体の還元波形が示され、この還元波形の前方位置に存在する還元前置波と呼称される還元波が、遊離脂肪酸量に依存して変動する。制御解析部２２は、この測定した電流値の中で、還元前置波の電流値を検出するものであり、この電流値のピークが皮脂付着シート９によって採取した皮脂中の遊離脂肪酸量に比例する。遊離脂肪酸量は、皮脂の主要な成分のひとつで皮膚状態に大きな影響を与えるものであり、この遊離脂肪酸量に応じて図４のごとく、作用極１３と対極１２間に流れる電流値が変動する。
【００１６】
この図４（ａ）は３，５−Ｄｉ−ｔｅｒｔ−ｂｕｔｙｌ−１，２−ｂｅｎｚｏｑｕｉｎｏｎｅ［ＤＢＢＱ］を７０％エタノール（ｖ／ｖ）に溶解させて調整したキノン含有溶液７中の遊離脂肪酸量が、１０ｍＭ、５ｍＭ、３ｍＭ、１ｍＭ、０．５ｍＭ、０ｍＭの時に、作用極１３、対極１２間に流れる電流値を示しており、Ｘ軸は参照電極１４、作用極１３間の電圧、Ｙ軸は作用極１３と対極１２間を流れる電流量を示している。図４（ａ）で示した還元波形のうち、還元前置波のピーク電流をプロットしたものが、図４（ｂ）に示すグラフになる。図４（ｂ）はＸ軸に遊離脂肪酸濃度、Ｙ軸に還元前置波のピーク電流の絶対値をプロットすることにより得られた検量線を示している。この特性からキノン含有溶液７中の遊離脂肪酸量が多い程、比例して大きな電流が流れるため、皮膚中の酸（主に遊離脂肪酸量）を定量的に測定することが可能であることが理解される。
【００１７】
なお、実施の形態１では、３，５−Ｄｉ−ｔｅｒｔ−ｂｕｔｙｌ−１，２−ｂｅｎｚｏｑｕｉｎｏｎｅを７０％エタノール（ｖ／ｖ）に溶解させて調整したキノン含有溶液を使用したが、本発明のキノン溶液の溶媒は、キノン化合物及び測定対象物（例えば遊離脂肪酸）を溶解できる構成であれば特に限定されないが、水溶媒に有機溶媒を含有させた構成であることが望ましい。また、キノン化合物においても、測定対象物（例えば遊離脂肪酸）と電子授受行い、ボルタンメトリーによってキノン誘導体の還元前置波が得られるものであれば特に限定されない。このようなキノン化合物として、３，５−Ｄｉ−ｔｅｒｔ−ｂｕｔｙｌ−１，２−ｂｅｎｚｏｑｕｉｎｏｎｅ以外に２，６−Ｄｉｍｅｔｈｙｌ−１、４−ｂｅｎｚｏｑｕｉｎｏｎｅ、２，３−Ｄｉｍｅｔｈｏｘｙ−５−ｍｅｔｈｙｌ−ｐ−ｂｅｎｚｏｑｕｉｎｏｎｅ等がある。これらのキノンは比較的安定である。
【００１８】
作用極１３と対極１２間を流れる電流は、図３の電気化学測定部２１で測定され、この測定値は、制御解析部２２の比較手段（図示せず）で、メモリー２３の比較値と比較され、その結果は表示部２４に、表示される。また、メモリー２３には測定結果を記録する機
能もあり、お客各々の皮膚状態の推移を記録し、記録や記録の解析結果を表示部２４に表示することも可能である。これにより、任意のお客のデータから皮膚状態の解析ができるためよりきめ細かなケアが指示出来る。
【００１９】
例えば、遊離脂肪酸量が所定値よりも多い時には、表示部２４の表示は、例えば「皮脂量を抑えるケアが必要」と表示され、この表示により、直ちにその場で、皮膚状態をお客に知らせることができ、これは化粧品販売所にも、お客にも好ましいものとなる。また、過去のデータとの比較、解析結果を表示することで、適切な肌ケアが行われているかどうかも評価可能である。
【００２０】
また、皮膚中の遊離脂肪酸量を測定したキノン溶液に、化１に示される反応スキームを触媒する酵素（リポプロテインリパーゼ）を導入し、トリグリセリドを３つの遊離脂肪酸に分解させて、酵素反応前後の遊離脂肪酸の増加量を測定してもよい。これにより、皮脂に含まれるトリグリセリドを測定することが可能になる。
【００２１】
【化１】
2011117785.tif 000003
【００２２】
遊離脂肪酸は皮膚の常在細菌によってトリグリセリドが分解されて生成したものである。皮膚の状態をより細かく知る上で、トリグリセリド量は有用な情報である。トリグリセリドを分解して得られた遊離脂肪酸含有の溶液には参照電極１４、作用極１３、対極１２が浸漬されている。マイクロコンピューター等から構成される電気化学測定部２１は、作用極１３の電位を参照電極１４の電極電位から所定の範囲で掃引し、これと同時に作用極１３と対極１２間を流れる電流値を測定する。トリグリセリドを分解して得られた遊離脂肪酸の増加量は作用極１３から、対極１２に流れる電流値の増加分として捕らえられる。作用極１３と対極１２間を流れる電流は、図３の電気化学測定部２１で測定され、この測定値は、制御解析部２２の比較手段（図示せず）で、メモリー２３の比較値と比較され、トリグリセリドの値に変換し表示部２４に、表示される。
【００２３】
例えば、トリグリセリドが所定値よりも多い時には、表示部２４の表示は、例えば「皮脂量を抑えるケアが必要」と表示され、この表示により、直ちにその場で、皮膚状態をお客に知らせることができ、これは化粧品販売所にも、お客にも好ましいものとなる。また、トリグリセリド量と遊離脂肪酸量を同時に測定することで皮膚情報をより詳しく分析することが可能であり、適切なアドバイスを行うことが可能になる。
【００２４】
さらに、酵素などを用い遊離脂肪酸やトリグリセリド以外の皮脂成分を酸に変換すれば、遊離脂肪酸やトリグリセリド以外の皮脂成分であっても測定可能である。例えば、下記の皮脂成分に関しても測定可能である。化２に示される反応スキームを触媒する酵素（コレステロールエステラーゼ）を用いることでコレステロール脂肪酸エステルを脂肪酸と遊離型コレステロールに分解し、上記のトリグリセリドの測定と同様にして酵素反応前後での脂肪酸の増加量を測定することで、皮脂に含まれるコレステロールを測定することが可能である。
【００２５】
【化２】
2011117785.tif 000004
【００２６】
このように、酵素を用いることによりトリグリセリド量やコレステロール量のような遊離脂肪酸以外の皮脂成分も測定可能であり、より詳しい皮膚情報が得られる。なお、本実施の形態１において、遊離脂肪酸、トリグリセリド、コレステロールの測定について示したが、下記に記載した実施の形態２、３及び４においても同様に、遊離脂肪酸に加え、トリグリセリド及びコレステロールの測定も行うことができる。
【００２７】
そして、この検出、およびお客への結果報告が終了すると、挿入体１１の挿入線２０が図２の開孔８に到達するまで、本体ケース１内に挿入体１１を押し込む。すると、挿入体１１の下端によりシート６が破断され、これによりキノン含有溶液７が吸着室５内に流れ込み、そこに設けている化学繊維製の吸着剤１０に吸着させる。この状態では、キノン含有溶液７が吸着剤１０に吸着されているので、開孔８から本体ケース１外に簡単には流出しないものとなる。このため、挿入体１１が押し込まれた状態の本体ケース１を、測定体１８から取り外し、この挿入体１１、本体ケース１の一体化物のまま、廃棄することになる。勿論、次の検出時には、新規な挿入体１１が測定体１８に装着され、接続電極（図３の１５、１６、１７）により、電気的な接続も行われる。
【００２８】
なお、溶液室３上に気体室２を設けた理由は、挿入体１１でシート４を破断する時にキノン含有溶液７が開孔８から吹き出すのを抑制するためであり、また気体室２により本体ケース１の廃棄時にキノン含有溶液７が開孔８から流出することも抑制することも出来る。
【００２９】
（実施の形態２）
図５、図６は、本発明の実施の形態２の皮膚状態検出装置を示すものであるが、実施の形態１と同じ構成のものには同一番号を付してその説明を簡略化する。
【００３０】
この実施の形態２における皮膚状態検出装置は、図６の皮膚状態検出具と、この皮膚状態検出具に装着される図５の測定装置により構成されている。
【００３１】
前記皮膚状態検出具を構成する本体ケース２６は有底円筒状とし、この本体ケース２６の上方に気体室２７、この気体室２７の下方に溶液室２８、この溶液室２８の下方に吸着室２９を設けるとともに、前記本体ケース２６の上端面には開孔３０を設けている。
【００３２】
また、気体室２７と溶液室２８間は、破断可能なシート３１で仕切り、吸着室２９と溶液室２８間は、破断可能なシート３２で仕切っている。
そして、この状態で前記溶液室２８内には、キノン含有溶液３３が充填されている。
【００３３】
一方、図５に示した測定装置は、前記皮膚状態検出具のシート３１を破断させて本体ケース２６内に、その下端側が挿入される挿入体３４と、この挿入体３４の下方に設けた皮脂付着シート３５および検出電極（対極１２、作用極１３、参照極１４）と、この挿入体３４の上方に設けた接続電極（図示せず）と、この接続電極に接続した測定体１８とを有する。また、挿入体３４は測定体１８に対して着脱自在となっているが、その長手方向には所定間隔で挿入線１９、２０が設けられている。ここで、挿入体３４の下方に設けた皮脂付着シート３５および検出電極（対極１２、作用極１３、参照極１４）について詳述する。
【００３４】
この実施形態２では、挿入体３４の下端部に溝３６を形成し、この溝３６内に前記検出電極（対極１２、作用極１３、参照極１４）を設けるとともに、皮脂付着シート３５は挿入体３４の下端に装着している。そして、この状態にすると、検出電極（対極１２、作用極１３、参照極１４）と皮脂付着シート３５は溝３６により非接触状態となる。
【００３５】
以上の構成で、お客の皮膚状態を検出する場合には、挿入体３４を測定体１８からは取り外した状態で、この挿入体３４の下端に装着した皮脂付着シート３５をお客の額に１０秒〜２０秒押し当てる。その後、この挿入体３４を図５のごとく測定体１８に取り付けた状態で、挿入体３４の下端を、皮膚状態検出具を構成する本体ケース２６の上端の開孔３０から、その挿入線１９が開孔３０に到達するまで、本体ケース２６内に押し込む。すると、皮脂付着シート３５は、挿入体３４の下端により、開孔３０から本体ケース２６の気体室２７内に押し込まれ、続けて挿入体３４の下端によりシート３１が破断され、これにより皮脂付着シート３５が溶液室２８に押し込まれる。この状態で、本体ケース２６を複数回振り、キノン含有溶液３３により、皮脂付着シート３５によって採取された皮脂中から、遊離脂肪酸量を分離抽出する。そして、その３０秒後に、図示していないスイッチをＯＮすることで、図３の各部に電源部２５から電圧を供給する。
【００３６】
遊離脂肪酸含有の溶液には対極１２、作用極１３、参照電極１４が浸漬されている。マイクロコンピューター等から構成される電気化学測定部２１（図３）は、作用極１３の電位を参照電極１４の電極電位から所定の範囲で掃引し、これと同時に作用極１３と対極１２間を流れる電流値を測定する。さらに制御解析部２２（図３）は、この測定した電流値の中で、キノン誘導体が示す還元波形の前方位置に存在する還元前置波の電流値を検出するものである。この電流値が皮脂付着シート３５によって採取した皮脂中の遊離脂肪酸量に比例する。
【００３７】
この時、対極１２、作用極１３、参照極１４と皮脂付着シート３５は溝３６により非接触状態となっているので、検出電極１２、１３、１４にはキノン含有溶液３３が触れることが出来るようになっている。遊離脂肪酸量は、皮脂の主要な成分のひとつで皮膚状態に大きな影響を与えるものであり、この遊離脂肪酸量に応じて図４のごとく、作用極１３と対極１２間に流れる電流値が変動する。この実施形態２においても、キノン含有溶液３３中の遊離脂肪酸量が多い程、大きな電流が流れる。作用極１３、対極１２間を流れる電流は、図３の電気化学測定部２１で測定され、この測定値は、制御解析部２２の比較手段（図示せず）で、メモリー２３（図３）の比較値と比較され、その結果は表示部２４に、表示される。
【００３８】
遊離脂肪酸量が所定値よりも多い時には、表示部２４の表示は、例えば「皮脂量を抑えるケアが必要」と表示され、この表示により、直ちにその場で、皮膚状態をお客に知らせることができ、これは化粧品販売所にも、お客にも好ましいものとなる。
【００３９】
そして、この検出、およびお客への結果報告が終了すると、挿入体３４の挿入線２０が開孔３０に到達するまで、本体ケース２６内に挿入体３４を押し込む。すると、挿入体３４の下端によりシート３２が破断され、これによりキノン含有溶液３３が吸着室２９内に流れ込み、そこに設けている化学繊維製の吸着剤３７に吸着させる。この状態では、キノン含有溶液３３が吸着剤３７に吸着されているので、開孔３０から本体ケース２６外に簡単には流出しないものとなる。
【００４０】
（実施の形態３）
図７は、本発明の実施の形態３の皮膚状態検出装置の皮膚状態検出具を示すものであるが、実施の形態２と同じ構成のものには同一番号を付してその説明を簡略化する。
【００４１】
この実施形態の本体ケース３８は有底円筒状とし、この本体ケース３８の上方に溶液室２８、この溶液室２８の下方に吸着室２９を設けるとともに、前記溶液室２８の上端面の開孔をシート３１で覆った構成としている。つまり、実施の形態２の気体室２７は挿入体３４挿入時におけるキノン含有溶液３３の飛び散りを防止するために設けたものであるが、この実施の形態３では気体室２７を廃止し、高さを低くしたものである。
【００４２】
（実施の形態４）
図８は、本発明の実施の形態４の皮膚状態検出装置の皮膚状態検出具を示すものであるが、実施の形態２と同じ構成のものには同一番号を付してその説明を簡略化する。
【００４３】
この実施の形態４では、挿入体３４の下端を先鋭化させ、シート３１、３２の破断を容易にしたものである。
【産業上の利用可能性】
【００４４】
以上のように本発明の皮膚状態検出具は、筒状の本体ケースと、この本体ケース内を気体室と溶液室に仕切った破断可能な第一のシートと、前記本体ケースの溶液室内に注入されたキノン含有溶液と、前記第一のシートに対向する気体室壁面に設けた開孔を覆った皮脂付着シートとを備えた構成とし、この皮膚状態検出具と、この皮膚状態検出具に装着される測定装置とを備え、前記測定装置は、前記皮膚状態検出具の開孔から本体ケース内に、その下端側が挿入される挿入体と、この挿入体の下方に設けた検出電極と、この挿入体の上方に設けた接続電極と、この接続電極に接続した測定体とを有し、皮膚に存在する遊離脂肪酸をキノン溶液と反応させて、生じたキノン誘導体をこの検出電極で電気化学的に検出する皮膚状態検出装置により、皮膚状態検出を短時間で行うことが出来るようになる。
【００４５】
すなわち、本発明の皮膚状態検出具によれば、先ず皮脂付着シートを皮膚に当接させることによって皮脂の採取を行い、次にこの皮脂付着シートを、開孔から本体ケースの気体室内に押し込み、続けて第一のシートを破断させて溶液室に押し込めば、皮膚の状態に最も大きな影響を与える遊離脂肪酸量に応じて、キノン含有溶液内を流れる電流量が増減することを利用し、皮膚状態検出を、極めて短時間で行うことが出来るようになるのである。さらに、酵素を用いることにより、遊離脂肪酸だけでなくトリグリセリドをはじめとした皮脂のその他主要な成分も測定可能である。
例えば、化粧品販売所においては、皮脂の採取後、直ちにその場で、皮膚状態をお客に知らせることができ、これは化粧品販売所にも、お客にも好ましいものとなる。
このため、化粧品販売所などで広く活用が期待される。
【符号の説明】
【００４６】
１    本体ケース
２    気体室
３    溶液室
４    シート
５    吸着室
６    シート
７    キノン含有溶液
８    開孔
９    皮脂付着シート
１０    吸着剤
１１    挿入体
１２    対極（検出電極）
１３    作用極（検出電極）
１４    参照極（検出電極）
１５，１６，１７    接続電極
１８    測定体
１９，２０    挿入線
２１    電気化学測定部
２２    制御解析部
２３    メモリー
２４    表示部
２５    電源部
２６    本体ケース
２７    気体室
２８    溶液室
２９    吸着室
３０    開孔
３１，３２    シート
３３    キノン含有溶液
３４    挿入体
３５    皮脂付着シート
３６    溝
３７    吸着剤
３８    本体ケース
５０    皮膚状態検出器具
５１    皮膚状態測定検出装置
【図１】
2011117785.tif 000005
【図２】
2011117785.tif 000006
【図３】
2011117785.tif 000007
【図４】
2011117785.tif 000008
【図５】
2011117785.tif 000009
【図６】
2011117785.tif 000010
【図７】
2011117785.tif 000011
【図８】
2011117785.tif 000012